(57)【要約】【課題】  機種変更を容易に行うことができる遊技機の提供を目的とする。【解決手段】  パチンコ機１は、木枠２及びベースドア３から構成される本体部４と前扉５とからなり、ベースドア３には、遊技盤６と演出表示部７が取付けられている。遊技盤６は、透明なポリカーボネート樹脂でできた遊技盤ベース６ａと、この遊技盤ベース６ａに配置された各種入賞口６Ａ〜６Ｄ，６Ｆ，６Ｇ、ゲート６Ｅ、ガイドレール６Ｈ、役物等の遊技部材とからなる。遊技盤ベース６ａの裏面に取り付けられた球通路部材１４の遊技盤ベース側ケース体１４ａには、機種のイメージにあう装飾が施された装飾シート１５が貼着されている。遊技盤ベース側ケース体１４ａは交換可能であり、機種変更の際には、遊技盤ベース側ケース体１４ａを、透光具合の異なる装飾シート１５が貼着されたものに交換することによって、球通路部材１４の見え具合を換えることができる。【選択図】        図５
2005152285.tif 000002
【特許請求の範囲】
【請求項１】
透光性を有する遊技盤ベースと、この遊技盤ベースに設けられた遊技部材とからなる遊技盤と、
前記遊技盤が取り付けられる本体部と、
前記遊技部材を介して、前記遊技盤ベースの背面側に導かれる遊技球の通路を形成した球通路部材とを備えた遊技機であって、
前記球通路部材は、内部に前記通路が形成された複数のケース体で形成され、
前記ケース体の内、遊技盤ベース側の遊技盤ベース側ケース体は、遊技者に視認される視認面を有し、その視認面が前記遊技盤ベースの透光性部位に対向するように、交換可能に配置されていることを特徴とする遊技機。
【請求項２】
前記遊技盤ベース側ケース体は、前記視認面の透光具合が異なる複数の遊技盤ベース側ケース体のうちから任意に選択されることを特徴とする請求項１に記載の遊技機。
【請求項３】
前記遊技盤ベース側ケース体は、透明な材料でできており、前記視認面は、装飾を施した装飾シートが貼着される平面部であることを特徴とする請求項１又は２に記載の遊技機。
【請求項４】
前記球通路部材は、前記遊技盤ベースの背面側に着脱可能に取り付けられていることを特徴とする請求項１乃至３の何れかに記載の遊技機。
【発明の詳細な説明】
【技術分野】
【０００１】
本発明は、パチンコ機等の遊技機に関するものである。
【背景技術】
【０００２】
一般に、パチンコ機等の遊技機は、遊技盤ベースとそのベース上に配置された遊技部材からなる遊技盤と、この遊技盤が取り付けられる本体部とから構成されている。
遊技盤には、遊技球が転動する遊技領域があり、遊技者は、主にこの遊技領域を見ながら遊技を行うこととなる。
遊技盤ベースには、遊技部材として、例えば発射装置から発射された遊技球を遊技領域に案内する案内レール、前記遊技領域には案内レールからの遊技球の流路を変更する釘、風車や、普通図柄ゲームや特別図柄ゲームの始動入賞口や、大型可変入賞装置であるアタッカや、一般入賞口などの各種入賞口等が配置されている。
前記遊技領域の略中央には、普通図柄ゲームや特別図柄ゲームにおける図柄の変動や各種リーチ演出の表示を行う液晶表示装置の液晶画面が取り付けられている。
一方、遊技盤ベースの背面側には、各種入賞口に入賞した遊技球を誘導する球通路を設けた球通路部材が取り付けられている。
【０００３】
上記のような遊技機において、遊技者に、前記球通路部材の球通路内を通過する入賞球の様子を見せることにより、遊技の興趣を高める効果を付与した遊技機を開示した特許文献がある（例えば、特許文献１参照）。
この遊技機では、同文献１の図２に示されているように、透光性を有する遊技盤ベースと、遊技盤ベースの裏面と略同一のサイズで形成され、遊技盤ベース裏面の全面に接着剤等で貼着されたシートを備え、このシートの、球通路と液晶表示装置の液晶画面に該当する部分は、遊技者側から視認可能なように透明になっており、透明な部分以外は、不透明な部分となっている。
前記シートの不透明な部分には、遊技機のイメージを遊技者に伝達するための装飾印刷を施してある。
【０００４】
【特許文献１】特開２０００−５１４６４号公報（段落００３５、同００４７、図１、図２、図３）
【発明の開示】
【発明が解決しようとする課題】
【０００５】
上記特許文献１に開示された遊技機においては、機種変更(盤換え)をする場合、遊技盤ベース裏面の前記シートを、新機種のイメージにあう装飾印刷が施されたものに取り替えることで、遊技盤ベースを再利用できる。
球通路部材を見せない機種に変更する場合、遊技盤ベースの裏面に接着されている前記シートを、新機種のイメージにあう装飾印刷が施されたものに取り替える必要があるが、しかし、このシートは、上述のように、遊技盤ベース裏面に接着剤等で貼着されているので、剥がすのは困難である。
一方、球通路部材を見せない機種から、球通路部材を見せる機種に変更する際にも、同様な課題がある。
【０００６】
そこで、本発明は、前述した課題を解決するためになされたもので、機種変更を容易に行うことができる遊技機の提供を目的とする。
【課題を解決するための手段】
【０００７】
上記課題を解決するため、本発明の遊技機は、透光性を有する遊技盤ベースと、この遊技盤ベースに設けられた遊技部材とからなる遊技盤と、前記遊技盤が取り付けられる本体部と、前記遊技部材を介して、前記遊技盤ベースの背面側に導かれる遊技球の通路を形成した球通路部材とを備えた遊技機であって、前記球通路部材は、内部に前記通路が形成された複数のケース体で形成され、前記ケース体の内、遊技盤ベース側の遊技盤ベース側ケース体は、遊技者に視認される視認面を有し、その視認面が前記遊技盤ベースの透光性部位に対向するように、交換可能に配置されていることを特徴とする遊技機とした（請求項１に記載の遊技機）。
この発明によれば、球通路部材の内部の見え具合が異なる機種に変更する場合、球通路部材を構成する遊技盤ベース側ケース体を交換することで、機種変更を容易に行うことができる。
【０００８】
上記発明において、前記遊技盤ベース側ケース体は、前記視認面の透光具合が異なる複数の遊技盤ベース側ケース体のうちから任意に選択されることを特徴とする遊技機とした（請求項２に記載の遊技機）。
この発明によれば、予め用意されている視認面の透光具合が異なる複数の遊技盤ベース側ケース体のうちから適当に選択した別のものに交換することにより、球通路部材の内部を見せる状態と、見せない状態とを容易に切り換えることができる。
【０００９】
上記発明において、前記遊技盤ベース側ケース体は、透明な材料でできており、前記視認面は、装飾を施した装飾シートが貼着される平面部であることを特徴とする（請求項３に記載の遊技機）。
この発明によれば、視認面に貼着される装飾シートの透光具合を変えることにより、装飾性を高めることができる。
【００１０】
また、上記発明において、前記球通路部材は、前記遊技盤ベースの背面側に着脱可能に取り付けられていることを特徴とする（請求項４に記載の遊技機）。
この発明によれば、遊技盤ベースの裏面に球通路を密着させることができるので、遊技者が遊技盤ベース側ケース体の視認面を見たときの視認性が向上する。
【発明の効果】
【００１１】
本発明によれば、球通路部材の内部の見え具合が異なる機種に変更する場合、球通路部材の遊技盤ベース側ケース体を交換することで、機種変更を容易に行うことができる。
【発明を実施するための最良の形態】
【００１２】
上記各発明の実施の形態に係る構成例を図面に基づいて説明する。
図１は実施形態に係る遊技機の正面図、図２は同遊技機の正面斜視図、図３は同遊技機を構成する遊技盤と演出表示部を示す要部分解斜視図、図４は遊技盤の正面図、図５は遊技盤の分解斜視図、図６は同遊技盤の球通路部材の分解斜視図、図７は球通路部材を構成する遊技盤ベース側ケース体の背面図、図８は球通路部材を構成する背面側ケース体の正面図である。
なお、これらの各図、後述の各図において、同一の構成については、同一の符号を付して、重複した説明を省略する。
【００１３】
実施形態に係る遊技機としてのパチンコ機１は、図１乃至図３に示すように、木枠２及びベースドア３から構成される本体部４と前扉５とからなり、木枠２は遊技場 (ホール)の島設備に取付けられ、この木枠２にベースドア３が、このベースドア３に前扉５がそれぞれ回動可能に支持されている。
ベースドア３には、演出表示部７を取付けた遊技盤６が設けられ、前扉５の上部にステレオ式のスピーカ９，９、下部に上皿ユニット１０ａ，下皿ユニット１０ｂ及び発射ハンドル１１がそれぞれ取付けられている。
【００１４】
遊技盤６は、図３及び図４に図示したように、ベースドア３に着脱自在に取り付けられており、透光性を有する部材、例えば透明なポリカーボネート樹脂で形成された略平板状の遊技盤ベース６ａに、ガイドレールＧが取付けられ、このガイドレールＧ内の遊技領域に、一般入賞口６Ａ〜６Ｄ、始動通過ゲート６Ｅ、始動入賞口６Ｆ、大入賞口６Ｇ、風車６Ｉや障害釘６Ｊ等の遊技部材が配置されている。
演出表示部７は、例えば液晶表示装置３２(図９参照)で構成され、始動通過ゲート６Ｅへの遊技球の入賞により開始される普通図柄ゲームの普通図柄、始動入賞口６Ｆへの遊技球の入賞により開始される特別図柄ゲームの特別図柄などの各種画像が表示される。
このような演出表示は、演出表示部７の前面の透光性を有する遊技盤ベース６ａの表示領域６ｂと、前扉５の中央に配置されたガラスを介して、遊技者に視認可能になっている。
この演出表示部７の下方には、後に詳述するように、装飾シート１５が貼着された遊技機部材としての球通路部材１４が配置され、その装飾シート１５が遊技盤ベース６ａの透光性部位６ｃと、上述のガラスを介して、遊技者に視認可能になっている。
そして発射ハンドル１１を操作することにより、遊技球がガイドレールＧを介して遊技領域６Ｋに打ち込まれ、始動通過ゲート６Ｅを通過すると、演出表示部７により普通図柄表示ゲームが行われ、その結果に基づき、始動入賞口６Ｆが開き入賞が容易な状態になる。また、始動入賞口６Ｆへの入賞に基づき演出表示部７により特別図柄表示ゲームが行われ、特定の図柄が揃うと「大当たり」となり、大入賞口６Ｇが開閉され、賞球獲得のチャンスが増大する。
【００１５】
まず、球通路部材１４の構成例を図５〜図８に基いて、詳細に説明する。
この球通路部材１４は、一般入賞口６Ａ〜６Ｄ、始動入賞口６Ｆ、大入賞口６Ｇ、アウト口６Ｈ等の遊技部材を介して、遊技盤ベース６ａの背面側に導かれ、流下する遊技球の通路を形成するもので、遊技盤６の遊技領域６Ｋの略下半部を遊技盤ベース６ａの裏側から覆う程度の大きさのものである。
球通路部材１４は、遊技盤ベース側ケース体１４ａと背面側ケース体１４ｂとからなり、遊技盤ベース６ａの、一般入賞口６Ａ〜６Ｄ、始動入賞口６Ｆ、大入賞口６Ｇ、アウト口６Ｈが設けられた領域に対応して取付けられている。
背面側ケース体１４ｂの背面側には、後述の遊技制御基板１２Ａ(図１１等参照)を取り付けるためのケース体１４ｃが設けられており、これらケース体１４ａ，１４ｂ，１４ｃは、例えば図示しないねじ部材によって互いに合体されている。
【００１６】
遊技盤ベース側ケース体１４ａは、背面側ケース体１４ｂのねじ部材による遊技盤ベース６ａへの取付部１４１を除いて、背面側ケース体１４ｂを略塞ぐ大きさ及び形状の略板状の部材である。
この遊技盤ベース側ケース体１４ａには、図７等に図示したように、遊技盤ベース６ａの一般入賞口６Ａ〜６Ｄ、始動入賞口６Ｆ、大入賞口６Ｇ及びアウト口６Ｈにそれぞれ対応する球通路入口となる孔部１４Ａ〜１４Ｄ，１４Ｆ，１４Ｇ，１４Ｉが設けられている。
これらの孔部に加え、前記孔部１４Ｆの上方には、孔部１４Ｈが設けられているが、この孔部１４Ｈに対応する入賞口等の遊技部材は、前記遊技盤ベース６ａに形成されておらず、装飾シート１５によって塞がれている。
【００１７】
孔部１４Ａ〜１４Ｄ，１４Ｆ，１４Ｇ、１４Ｈの周囲には、図７に図示したように、例えば３条の線状凸部からなる遊技球の球通路蓋部１４４が形成されている。
【００１８】
一方、背面側ケース体１４ｂには、図５等に図示したように、孔部１４Ａ〜１４Ｄ、１４Ｈに対応すると共に、前記一般入賞口６Ａ〜６Ｄ、孔部１４Ｈに対応する遊技部材の後端(図示せず)を受け入れる受入部１４０Ａ〜１４０Ｄ、１４０Ｈが形成されている(図８参照)。
また、背面側ケース体１４ｂには、孔部１４Ｆ，１４Ｇに対応すると共に、始動入賞口６Ｆおよび大入賞口６Ｇを構成する役物の後端(図示せず)を受け入れる受入部１４０Ｆと１４０Ｇがそれぞれ形成され、孔部１４Ｉに対応するアウト球受入部１４０Iが形成されている(図８参照)。
さらに、受入部１４０Ａ〜１４０Ｄ，１４０Ｈの下部には、図８に図示したように、遊技盤ベース側ケース体１４ａの球通路蓋部１４４に略一致する位置に、断面形状がほぼＵ字状の球通路溝部１４３が形成され、それぞれの入賞球通路溝部１４３は、排出口１４２に収束するようになっている。
【００１９】
このように形成された遊技盤ベース側ケース体１４ａと背面側ケース体１４ｂとを組み合わせると、入賞球通路蓋部１４４が入賞球通路溝部１４３の開放端を塞ぐことにより管状の球通路が形成され、その下方に遊技球の排出口１４２が開口される。よって、内部に遊技盤ベース側ケース体１４ａの前記孔部１４Ａ〜１４Ｄ，１４Ｆ，１４Ｇ，１４Ｈと排出口１４２とを連通接続する蛇行した形状の入賞球通路となる。
遊技盤ベース６ａの一般入賞口６Ａ〜６Ｄ、始動入賞口６Ｆまたは大入賞口６Ｇから孔部１４Ａ〜１４Ｄ，１４Ｆ，１４Ｇを介して球通路部材１４内に入った入賞球は、この入賞球通路内を通って球通路部材１４の排出口１４２まで流下し、球通路部材１４の外へ排出される。
【００２０】
入賞球通路蓋部１４４が３条の線状凸部でできており、隣り合う線状凸部間が溝になっているため、入賞球と入賞球通路内面との接触面積が減り、入賞球通路内を入賞球が流下する際に、摩擦抵抗が軽減されるので、入賞球がスムーズに流下する。
なお、図示は省略するが、各入賞口６Ａ〜６Ｄへの遊技球の入賞を検出する一般入賞センサ１０６，１０８が、入賞球通路の途中に取付けられていると共に、始動入賞口６Ｆには、その入賞を検出する始動入賞球センサ１１６、大入賞口６Ｇ内には、Ｖ入賞領域と一般領域とがあり、Ｖ入賞領域への遊技球の通過を検出するＶ・カウントセンサ１０２、一般領域への遊技球の通過を検出するカウントセンサ１０４が取付けられている。
【００２１】
遊技盤ベース側ケース体１４ａ、または遊技盤ベース側ケース体１４ａと背面側ケース体１４ｂは、透光性を有する材料、例えば透明なポリカーボネート樹脂でできており、遊技盤ベース側ケース体１４ａの正面側、すなわち遊技盤ベース６ａ側の面は、遊技盤ベース６ａの背面に対向する平面部１４５となっている。この平面部１４５には、遊技者に視認される視認面を構成するもので、装飾シート１５が接着剤により貼着されている。
【００２２】
装飾シート１５は、例えば２００μｍ程度の厚みを有するフィルムを、遊技盤ベース側ケース体１４ａの平面部１４５を略覆う大きさ及び形状に裁断し、遊技機のイメージにあう絵柄を不透明インクによりグラビア印刷したものである。したがって、遊技者が前扉５および遊技盤ベース６ａを介して装飾シート１５の絵柄を視認することとなり、遊技盤６の装飾性が高まるとともに、装飾シート１５により球通路部材１４が隠蔽される。
【００２３】
装飾シート１５の全面を絵柄により不透明にする場合には、装飾シート１５は、印刷用インクの塗着が容易なフィルムであれば、その材質を問わないし、遊技盤ベース側ケース体１４ａに装飾シート１５を接着する接着剤は、平滑性を有しているものであれば、どのようなものでもよい。
また、装飾シート１５は、その全面を絵柄により不透明にする必要はなく、入賞球通路部分などの所望の領域を、印刷をしない透明な領域としてもよい。その場合には、装飾シート１５は、ＣＡＢ（セルロースアセトブチレート）などのように、透明性が高く、印刷用インクの塗着が容易なものであればよいし、接着剤としては、平滑性および透明性に富むものを用いればよい。
また、装飾シート１５に絵柄を印刷する手法としては、グラビア印刷以外の手法を用いることもできる。
【００２４】
装飾シート１５には、遊技盤ベース側ケース体１４ａに開けられている孔部１４Ａ〜１４Ｄ，１４Ｆ，１４Ｇに対応する箇所に、孔部１５Ａ〜１５Ｄ，１５Ｆ，１５Ｇが開けられている。
一方、孔部１４Ｈに対応する位置の装飾シート１５には孔部は形成されておらず、孔部１４Ｈは装飾シート１５によって塞がれている。
【００２５】
上記のように構成された球通路部材１４が遊技盤６の裏面側にねじ部材等により着脱可能に取り付けられると、装飾シート１５は、遊技盤ベース６ａの背面に隙間なく密着するので、本体部４側に装飾シートを設けるよりも、遊技者側からの装飾シートの視認性が向上する。また、遊技者が遊技中にその視線を遊技盤６の斜め方向に向けても、隙間から木枠２等の本体部４側が見えるということがないので、装飾性が向上し、遊技者が遊技に集中することができる。
【００２６】
また、背面側ケース体１４ｂは、その取付部において遊技盤ベース６ａにねじ部材により取り付けられ、遊技盤ベース側ケース体１４ａは、遊技盤６と、背面側ケース体１４ｂとの間で挟持されているので、遊技盤ベース６ａから背面側ケース体１４ｂを取り外すことで、遊技盤ベース側ケース体１４ａを取り外すことができる。
そして、絵柄の異なる装飾シート１５が貼着された遊技盤ベース側ケース体１４ａを背面側ケース体１４ｂに嵌め込み、背面側ケース体１４ｂを遊技盤ベース６ａにねじ止めすることにより、交換可能となっており、遊技盤６の装飾を変更することができる。つまり、遊技盤ベース６ａをそのまま用いて、遊技盤ベース側ケース体１４ａを交換するだけで、新機種に容易に変更することができる。
【００２７】
また、図９に示したように、演出表示部７としての液晶表示装置３２の下方の球通路部材１４は、液晶表示装置の下辺のフレームを隠すように配置されているので、その装飾シート１５と液晶表示装置の液晶画面とが合体し、恰も連続しているように、新機種のイメージを遊技者に十分に伝達することができる。
【００２８】
また、機種変更の際に、絵柄の異なる装飾シート１５が貼着された遊技盤ベース側ケース体１４ａに交換する代わりに、装飾シート１５が貼着されていない遊技盤ベース側ケース体１４ａに交換することにより、遊技者に球通路部材１４を見せる機種に容易に変更することができる。その逆に、装飾シート１５が貼着されていない遊技盤ベース側ケース体１４ａが取り付けられていることにより、球通路部材１４が遊技者から見えるようになっている機種において、遊技盤ベース側ケース体１４ａを、不透明な絵柄を有する装飾シート１５が貼着されたものに交換することによって、球通路部材１４を見せる機種から見せない機種に変更することも容易である。
また、遊技盤ベース側ケース体１４ａとして、半透明、不透明等の透光具合が異なる複数の遊技盤ベース側ケース体を用意し、新機種に合わせて、そのうちから任意に選択するようにしても、同様の作用効果を奏する。
【００２９】
また、この実施形態では、上述のように、遊技盤ベース側ケース体１４ａの孔部１４Ｈに対応する入賞口等の遊技部材は、前記遊技盤ベース６ａに形成されておらず、孔部１４Ｈは装飾シート１５によって塞がれているが、これは次の理由による。
機種変更の際に、旧機種よりも入賞口の数が少ない機種に変更する場合には、遊技盤ベース６ａを、入賞口の数が少ないものに交換する必要があるが、この場合、旧機種には設けられていたが、新機種ではなくなってしまう入賞口がある。このように入賞口がなくなっても、遊技盤ベース側ケース体１４ａには、なくなった入賞口に対応する孔部１４Ｈが、球通路入口として残ることになる。この孔部１４Ｈを塞がないと、遊技盤ベース６ａが透光性部材でできているため、入賞口がないにもかかわらず、不要となった孔部１４Ｈが開いているのが見えてしまい、美的外観が損なわれてしまう。
そこで、このような場合には、図１０に示すように、遊技盤ベース側ケース体１４ａを、不要となった孔部１４Ｈに対応する部分に不透明な絵柄が印刷された装飾シート１５を貼着したものに交換し、装飾シート１５により、不要となった孔部１４Ｈを塞いで、遊技者から孔部１４Ｈが見えないようにする。
このようにすれば、遊技盤ベース側ケース体１４ａを、多種の遊技盤ベース６ａに使用することができるので、遊技盤ベース側ケース体１４ａの汎用性が高くなる。
【００３０】
上記のように構成された遊技盤６の背面側には、図１１に示したように、遊技状態を制御する各種制御装置１２、遊技球の貯留及び流下ユニット１３等が配置されている。
前記制御装置１２は、遊技の主制御を行う遊技制御基板１２Ａ、前記各種入賞口に遊技球が入賞したときに遊技制御基板１２Ａからの制御信号に基づいて賞球の払出し制御をおこなう賞球払出制御基板１２Ｂ、賞球払出制御基板１２Ｂの制御により賞球を払い出す賞球払出ユニット１２Ｃ、遊技制御基板１２Ａからの制御信号に基づいて音声制御を行う音声制御基板１２Ｄ、遊技制御基板１２Ａからの制御信号に基づいて演出表示部７、遊技盤６上の装飾ランプ等の各種表示器の表示制御を行う表示制御基板１２Ｅなどから構成されている。
【００３１】
遊技機は、上記制御装置１２により、遊技が制御されるが、この制御装置１２の構成例を図１２の制御ブロック図に基づき説明する。
【００３２】
制御装置を構成する主制御回路６０は、メインＣＰＵ６６、メインＲＯＭ（読み出し専用メモリ）６８、メインＲＡＭ（読み書き可能メモリ）７０を備えており、メインＲＯＭ６８に記憶されたプログラムに従って、メインＣＰＵ６６が各種遊技の処理を実行するようになっている。
また、メインＲＡＭ７０は、メインＣＰＵ６６の一時記憶領域として、種々のフラグや変数の値が記憶され、また遊技状態に応じて生成される各種データが記憶される。
【００３３】
この主制御回路６０は、所定の周波数のクロックパルスを生成するリセット用クロックパルス発生回路６２、電源投入時においてリセット信号を生成する初期リセット回路６４、後述する副制御回路２００に対しコマンドを供給するためのシリアル通信用ＩＣ７２を備えており、それぞれメインＣＰＵ６６に接続されている。
【００３４】
また、主制御回路６０には、Ｖ・カウントセンサ１０２、カウントセンサ１０４、一般入賞センサ１０６，１０８、通過球センサ１１４、始動入賞球センサ１１６、始動入賞口６Ｆの開閉を行う普通電動役物ソレノイド１１８、大入賞口６Ｇの開閉を行う大入賞口ソレノイド１２０、電断時等におけるバックアップデータを遊技場の管理者の操作に応じてクリアするバックアップクリアスイッチ１２４が、それぞれ接続されている。
【００３５】
また、主制御回路６０には、払出・発射制御回路１２６が接続され、この払出・発射制御回路１２６には遊技球の払出を行う払出装置１２８、遊技者が操作を行う発射ハンドル１１、カードユニット１５０が接続されている。
【００３６】
シリアル通信用ＩＣ７２に接続されている副制御回路２００は、主制御回路６０から供給される各種コマンドに応じて、液晶表示装置３２に対する表示制御、スピーカ９から発生される効果音に関する制御、ランプ１３２の制御等を行う。
【００３７】
副制御回路２００は、サブＣＰＵ２０６、プログラムＲＯＭ２０８、ワークＲＡＭ２１０、液晶表示装置３２における表示制御を行う表示制御回路２５０、スピーカ９を制御する音声制御回路２３０、ランプ１３２を制御するランプ制御回路２４０から構成されている。
【００３８】
サブＣＰＵ２０６は、プログラムＲＯＭ２０８、ワークＲＡＭ２１０が接続されており、サブＣＰＵ２０６は、主制御回路６０から供給される各種のコマンドに基き、プログラムＲＯＭ２０８に記憶されたプログラムに従って、副制御回路２００の制御を行う。
【００３９】
表示制御回路２５０は、画像データプロセッサ２１２、各種の画像データを記憶する画像データＲＯＭ２１６、画像データを画像信号として変換するＤ／Ａコンバータ２１８、電源投入時においてリセット信号を生成する初期リセット回路２２０から構成されている。
【００４０】
音声制御回路２３０は、音声に関する制御を行う音源ＩＣ２３２、各種音声データを記憶する音声データＲＯＭ２３４、音声信号を増幅させる増幅器２３６から構成される。
この音源ＩＣ２３２は、サブＣＰＵ２０６、初期リセット回路２２０、音声データＲＯＭ２３４、増幅器２３６と接続され、スピーカ９から発生させる効果音の制御を行う。
サブＣＰＵ２０６は、演出パターンを選択し、音声データＲＯＭ２３４に記憶されている複数の音声データから一つの音声データを選択する。
その後、サブＣＰＵ２０６は選択された音声データを音声データＲＯＭ２３４から読み出し、音源ＩＣ２３２に供給する。音声データを受け取った音源ＩＣ２３２は、その音声データを所定の音声信号に変換し、その音声信号を増幅器２３６に供給すると、音声信号が増幅され、スピーカ９から音声が出力される。
【００４１】
ランプ制御回路２４０は、ランプ制御信号を供給するためのドライブ回路２４２、複数のランプ装飾パターンなどが記憶されている装飾データＲＯＭ２４４から構成されている
【００４２】
なお、図１３に示すように、遊技盤ベース６ａが木材等の不透明部材６１と透明なポリカーボネート樹脂等からなる透光性部材６２とでできており、それら不透明部材６１と透光性部材６２とを一体化させた構成としてもよい。
また、図１４に示すように、遊技盤ベース６ａとして、遊技領域６Ｋに略対応する部分が透明なポリカーボネート樹脂等からなる透光性部材６３でできており、遊技領域６Ｋの略外側に対応する部分が木材等の不透明部材６４でできており、不透明部材６４に透光性部材６３を嵌め込んで一体化させた構成としてもよい。
さらに、図１５に示すように、透明なポリカーボネート樹脂等からなる遊技盤ベース６ａの、遊技領域６Ｋに略対応する部分を透明領域６５とし、その外側に対応する部分を、塗装を施した不透明領域６６としてもよい。
【産業上の利用可能性】
【００４３】
本発明は、パチンコ機に限られることなく、アレンジボールや、雀球等へも広く適用可能である。
【図面の簡単な説明】
【００４４】
【図１】本発明の実施形態に係るパチンコ機の正面図である。
【図２】同パチンコ機の正面斜視図である。
【図３】同パチンコ機の要部分解斜視図である。
【図４】同パチンコ機を構成する遊技盤の正面図である。
【図５】同パチンコ機の遊技盤の分解斜視図である。
【図６】同パチンコ機の球通路部材の分解斜視図である。
【図７】同パチンコ機を構成する球通路部材の遊技盤ベース側ケース体の背面図である。
【図８】同パチンコ機を構成する球通路部材の背面側ケース体の正面図である。
【図９】同パチンコ機を構成する液晶表示装置と球通路部材の配置図である。
【図１０】同パチンコ機の要部断面図である。
【図１１】同パチンコ機の背面斜視図である。
【図１２】同パチンコ機の制御装置の構成ブロック図である。
【図１３】同パチンコ機を構成する遊技盤ベースの変形例の斜視図である。
【図１４】同パチンコ機を構成する遊技盤ベースの変形例の分解斜視図である。
【図１５】同パチンコ機を構成する遊技盤ベースの変形例の斜視図である。
【符号の説明】
【００４５】
１  パチンコ機                    ２  木枠
３  ベースドア                    ４  本体部
５  前扉                          ７  演出表示部
６  遊技盤                        ９  スピーカ
１０ａ  上皿ユニット              １０ｂ  下皿ユニット
１１  発射ハンドル
６ａ  遊技盤ベース                Ｇ  ガイドレール
６Ａ〜６Ｄ  一般入賞口            ６Ｅ  始動通過ゲート
６Ｆ  始動入賞口                  ６Ｇ  大入賞口
６Ｉ  風車                        ６Ｊ  障害釘
１５  装飾シート                  １４  球通路部材
６ｃ  透光性部位                    ６Ｋ  遊技領域
７  演出表示部                    １４ａ  遊技盤ベース側ケース体
１４ｂ  背面側ケース体            １２Ａ  遊技制御基板
１４ｃ  ケース体                  １４１  取付部
１４Ａ〜１４Ｄ，１４Ｆ，１４Ｇ、１４Ｈ、１４Ｉ  孔部
１４４  入賞球通路蓋部            １４０Ａ〜１４０Ｄ、１４０Ｈ  受入部
１４０Ｉ  アウト球受入部
１４０Ｆ  １４０Ｇ  受入部        １４３  入賞球通路溝部
１４２  排出口                    １１６  始動入賞球センサ
１０２  Ｖ・カウントセンサ        １０４  カウントセンサ
１０６，１０８  一般入賞センサ    １４５  平面部
１３  遊技球の貯留及び流下ユニット  １２Ａ  遊技制御基板
１２Ｂ  賞球払出制御基板          １２Ｃ  賞球払出ユニット
１２Ｄ  音声制御基板              １２Ｅ  表示制御基板
【図１】
2005152285.tif 000003
【図２】
2005152285.tif 000004
【図３】
2005152285.tif 000005
【図４】
2005152285.tif 000006
【図５】
2005152285.tif 000007
【図６】
2005152285.tif 000008
【図７】
2005152285.tif 000009
【図８】
2005152285.tif 000010
【図９】
2005152285.tif 000011
【図１０】
2005152285.tif 000012
【図１１】
2005152285.tif 000013
【図１２】
2005152285.tif 000014
【図１３】
2005152285.tif 000015
【図１４】
2005152285.tif 000016
【図１５】
2005152285.tif 000017